(57)【要約】【課題】表示ボケの解消とフリッカの低減とを両立可能な新規なブリンキング手法を提供する。【解決手段】バックライト６は、表示部１の背面に設けられているとともに、互いに独立して発光可能な複数の領域によって発光面が構成されている。バックライト駆動回路７は、バックライト６の発光面のうち、走査線Ｙの延在方向に延在する帯状領域以外の領域を第１の輝度で発光させるとともに、帯状領域を第１の輝度よりも明るい第２の輝度で発光させる。それとともに、バックライト駆動回路７は、走査線Ｙの順次選択と同期して、発光面上の帯状領域を走査線Ｙの選択方向に順次シフトさせる。【選択図】図１
2005070228.tif 000002
【特許請求の範囲】
【請求項１】
電気光学装置において、
所定の選択順序にしたがって順次選択される複数の走査線と、
データが供給される複数のデータ線と、
前記複数の走査線と前記複数のデータ線との交差に位置的に対応付けられた複数の画素によって構成された表示部と、
前記表示部の背面に設けられているとともに、互いに独立して発光可能な複数の領域によって発光面が構成されたバックライトと、
前記発光面のうち、前記走査線の延在方向に延在する帯状領域以外の領域を第１の輝度で発光させ、前記帯状領域を前記第１の輝度よりも明るい第２の輝度で発光させ、かつ、前記走査線の順次選択と同期して、前記発光面上の前記帯状領域を前記走査線の選択方向に順次シフトさせるバックライト駆動回路と
を有することを特徴とする電気光学装置。
【請求項２】
前記バックライト駆動回路は、前記発光面上の前記帯状領域をオーバラップさせながら順次シフトさせることを特徴とする請求項１に記載された電気光学装置。
【請求項３】
前記バックライト駆動回路は、前記表示部に表示すべき表示対象に応じて、前記帯状領域の幅を変えることを特徴とする請求項１または２に記載された電気光学装置。
【請求項４】
前記バックライト駆動回路は、前記表示部に表示すべき表示対象に応じて、前記帯状領域と当該帯状領域以外の領域との間の輝度差を変えることを特徴とする請求項１または２に記載された電気光学装置。
【請求項５】
請求項１から４のいずれかに記載された電気光学装置を実装したことを特徴とする電子機器。
【請求項６】
所定の選択順序にしたがって順次選択される複数の走査線とデータが供給される複数のデータ線との交差に位置的に対応付けられた複数の画素によって構成された表示部と、前記表示部の背面に設けられているとともに、互いに独立して発光可能な複数の領域によって発光面が構成されたバックライトとを有する電気光学装置の駆動方法において、
前記発光面のうち、前記走査線の延在方向に延在する帯状領域以外の領域を第１の輝度で発光させる第１のステップと、
前記発光面のうち、前記帯状領域を前記第１の輝度よりも明るい第２の輝度で発光させる第２のステップと、
前記走査線の順次選択と同期して、前記発光面上の前記帯状領域を前記走査線の選択方向に順次シフトさせる第３のステップと
を有することを特徴とする電気光学装置の駆動方法。
【請求項７】
前記第３のステップは、前記発光面上の前記帯状領域をオーバラップさせながら順次シフトさせるステップであることを特徴とする請求項６に記載された電気光学装置の駆動方法。
【請求項８】
前記第３のステップは、前記表示部に表示すべき表示対象に応じて、前記帯状領域の幅を変えるステップを含むことを特徴とする請求項６または７に記載された電気光学装置の駆動方法。
【請求項９】
前記第３のステップは、前記表示部に表示すべき表示対象に応じて、前記帯状領域と当該帯状領域以外の領域との間の輝度差を変えるステップを含むことを特徴とする請求項６または７に記載された電気光学装置の駆動方法。
【発明の詳細な説明】
【技術分野】
【０００１】
本発明は、電気光学装置、電気光学装置の駆動方法および電子機器に係り、特に、表示部の背面に設けられたバックライトの発光制御に関する。
【背景技術】
【０００２】
ホールド型ディスプレイの高画質化を図る上での課題として、動画表示特性の改善が挙げられる。ホールド型ディスプレイとは、所定の期間（例えば１フレーム）に亘って、画像を表示し続けるディスプレイをいい、液晶や有機ＥＬ（Electronic Luminescence）等を用いたディスプレイはこのタイプに属する。この類のディスプレイにおいて、画素内のキャパシタ等に書き込まれたデータは、次のデータの書き込みが開始されるまで保持され、基本的に、データが保持されている間、発光し続ける。そのため、所定の期間内で一時的に発光するインパルス型ディスプレイ（例えばＣＲＴ）と比較して、特に動画を表示する際に残像が目立ち、表示される動画が不鮮明になる（表示のボケが生じる）という問題がある。この問題を解決するために、従来より、動画表示プロセスにおいて黒画像を所定の間隔で挿入するブリンキング（Blinking）と呼ばれる手法が提案されている。
【０００３】
例えば、特許文献１には、複数の光源で構成されたバックライトの発光制御によってブリンキングを実現する液晶表示装置が開示されている。具体的には、バックライトの発光面のうち、走査線の延在方向に延在する所定幅の帯状領域のみを発光させるとともに、この帯状領域以外の領域を非発光（黒表示）させる。発光面上の帯状領域は、走査線の順次選択と同期して、走査線の選択方向に順次シフトする。
【特許文献１】特開２０００−２７５６０４号公報
【発明の開示】
【発明が解決しようとする課題】
【０００４】
しかしながら、上述した従来技術では、ブリンキング本来の目的である表示ボケは解消できるものの、発光する帯状領域とそれ以外の黒表示領域との間の輝度差が大きくなるため、表示のちらつき（フリッカ）が生じやすいという不都合がある。
【０００５】
本発明は、かかる事情に鑑みてなされたものであり、その目的は、表示ボケの解消とフリッカの低減とを両立可能な新規なブリンキング手法を提供することである。
【課題を解決するための手段】
【０００６】
かかる課題を解決するために、第１の発明は、所定の選択順序にしたがって順次選択される複数の走査線と、データが供給される複数のデータ線と、複数の走査線と複数のデータ線との交差に位置的に対応付けられた複数の画素によって構成された表示部と、表示部の背面に設けられているとともに、互いに独立して発光可能な複数の領域によって発光面が構成されたバックライトと、バックライト駆動回路とを有する電気光学装置を提供する。ここで、バックライト駆動回路は、発光面のうち、走査線の延在方向に延在する帯状領域以外の領域を第１の輝度で発光させるとともに、帯状領域を第１の輝度よりも明るい第２の輝度で発光させる。それとともに、バックライト駆動回路は、走査線の順次選択と同期して、発光面上の帯状領域を走査線の選択方向に順次シフトさせる。
【０００７】
第１の発明において、バックライト駆動回路は、発光面上の帯状領域をオーバラップさせながら順次シフトさせることが好ましい。また、バックライト駆動回路は、表示部に表示すべき表示対象に応じて、帯状領域の幅を変えてもよく、或いは、表示部に表示すべき表示対象に応じて、帯状領域とこの帯状領域以外の領域との間の輝度差を変えてもよい。
【０００８】
第２の発明は、上述した第１の発明にかかる電気光学装置を実装した電子機器を提供する。
【０００９】
第３の発明は、所定の選択順序にしたがって順次選択される複数の走査線とデータが供給される複数のデータ線との交差に位置的に対応付けられた複数の画素によって構成された表示部と、表示部の背面に設けられているとともに、互いに独立して発光可能な複数の領域によって発光面が構成されたバックライトとを有する電気光学装置の駆動方法を提供する。この駆動方法は、発光面のうち、走査線の延在方向に延在する帯状領域以外の領域を第１の輝度で発光させる第１のステップと、発光面のうち、帯状領域を第１の輝度よりも明るい第２の輝度で発光させる第２のステップと、走査線の順次選択と同期して、発光面上の帯状領域を走査線の選択方向に順次シフトさせる第３のステップとを有する。
【００１０】
ここで、第３の発明において、第３のステップは、発光面上の帯状領域をオーバラップさせながら順次シフトさせるステップであることが好ましい。また、第３のステップは、表示部に表示すべき表示対象に応じて、帯状領域の幅を変えるステップを含んでいてもよく、或いは、表示部に表示すべき表示対象に応じて、帯状領域とこの帯状領域以外の領域との間の輝度差を変えるステップを含んでいてもよい。
【発明の効果】
【００１１】
本発明によれば、帯状領域以外の領域を非発光にするのではなく、帯状領域よりも暗く発光させることで、帯状領域とこれ以外の領域との間の輝度差を小さく設定する。これにより、表示のちらつきを抑制でき、表示ボケの解消とフリッカの低減との両立を図ることが可能となる。
【発明を実施するための最良の形態】
【００１２】
（第１の実施形態）
図１は、第１の実施形態にかかる電気光学装置のブロック構成図である。表示部１は、例えば、ＴＦＴ（薄膜トランジスタ）等のスイッチング素子によって液晶素子を駆動するアクティブマトリクス型の表示パネルである。この表示部１には、ｍドット×ｎライン分の画素２がマトリクス状（二次元平面的）に並んでいる。また、表示部１には、それぞれが行方向（Ｘ方向）に延在しているｎ本の走査線Ｙ1〜Ｙnと、それぞれが列方向（Ｙ方向）に延在しているｍ本のデータ線Ｘ1〜Ｘmとが設けられており、これらの交差に対応して画素２が配置されている。なお、本実施形態では、１つの画素２を画像の最小表示単位としているが、１つの画素２をＲＧＢの３つのサブ画素で構成してもよい。
【００１３】
図２は、画素２の等価回路図である。１つの画素２は、スイッチング素子であるＴＦＴ２１、液晶容量２２および蓄積容量２３によって構成されている。ＴＦＴ２１のソースは１本のデータ線Ｘ（ＸはＸ1〜Ｘmのいずれかを指す）に接続され、そのゲートは１本の走査線Ｙ（ＹはＹ1〜Ｙnのいずれかを指す）に接続されている。同一列に並んだ複数の画素２に関しては、それぞれのＴＦＴ２１のソースが同じデータ線Ｘに接続されている。また、同一行に並んだ複数の画素２に関しては、それぞれのＴＦＴ２１のゲートが同じ走査線Ｙに接続されている。ＴＦＴ２１のドレインは、並列に設けられた液晶容量２２と蓄積容量２３とに共通接続されている。液晶容量２２は、画素電極２２ａと、対向電極２２ｂと、これらの電極２２ａ、２２ｂ間に挟持された液晶層とによって構成されている。蓄積容量２３は、画素電極２２ａと、図示しない共通容量電極との間に形成されており、電圧Ｖcsが供給される。この蓄積容量２３によって、液晶に蓄積される電荷のリークが抑制される。一方、画素電極２２ａ側には、ＴＦＴ２１を介して、データ電圧が印加され、この電圧レベルに応じて、液晶容量２２と蓄積容量２３とが充放電される。これにより、画素電極２２ａと対向電極２２ｂとの間の電位差（液晶の印加電圧）に応じて、液晶層の透過率（バックライト６から出射された光が液晶層を透過する割合）が設定され、画素２の階調が設定される。
【００１４】
表示部１の背面にはバックライト６が設けられている。図３は、バックライト６の概略的な構成図である。このバックライト６の発光面は、それぞれが走査線Ｙの延在方向に延在する複数のブロックＡ〜Ｆで構成されている。ブロックＡ〜Ｆのそれぞれは、互いに独立して発光可能であり、後述するバックライト駆動回路７からの制御信号ＢＬa〜ＢＬfによって制御される光源が個別に設けられている。この光源としては、例えば、ＥＬ（Electronic Luminescence）、ＬＥＤまたはランプ（蛍光管）といった任意の発光体を用いることができる。
【００１５】
制御回路５は、図示しない上位装置より入力される垂直同期信号Ｖs、水平同期信号Ｈs、ドットクロック信号ＤＣＬＫ等の外部信号に基づいて、走査線駆動回路３、データ線駆動回路４およびバックライト駆動回路７に対して、各種の内部信号（スタート信号ＤＹおよびクロック信号ＣＬＹ等を含む）を供給する。この制御回路５の制御下において、走査線駆動回路３およびデータ線駆動回路４は、互いに協働して表示部１の表示制御を行う。
【００１６】
走査線駆動回路３は、シフトレジスタおよび出力回路を主体に構成されており、走査線Ｙ1〜Ｙnの線順次走査を行う。具体的には、走査線駆動回路３は、１フレーム（１Ｆ）の最初に供給されるスタートパルスＤＹを、クロック信号ＣＬＹにしたがって転送し、各走査線Ｙ1〜Ｙnの走査信号を順次排他的に高電位レベルに設定する。これにより、走査線Ｙ1〜Ｙnは、所定の選択順序にしたがい（一般的には最上から最下に向かって）、順次選択されていく。一方、データ線駆動回路４は、シフトレジスタ、ラインラッチ回路、ＤＡコンバータおよび出力回路を主体に構成されており、走査線駆動回路３と協働して、データの書込対象となる画素行に供給すべきデータをデータ線Ｘ1〜Ｘmに出力する。データ線駆動回路４は、ある水平走査期間（１Ｈ）で、今回データを書き込む画素行に対するデータの一斉出力と、次の１Ｈでデータを書き込む画素行に関するデータの点順次的なラッチとを並行して行う。
【００１７】
バックライト駆動回路７は、バックライト６の発光面のうち、走査線Ｙの延在方向に延在する帯状領域を明るく発光させ、それ以外の領域を暗く発光させる。それとともに、バックライト駆動回路７は、走査線駆動回路３による走査線Ｙの順次選択と同期して、バックライト６の発光面上に設定される帯状領域を走査線Ｙの選択方向に順次シフトさせる。以下、一例として、走査線Ｙの本数を６００本（Ｙ1〜Ｙ600）とし、かつ、バックライト６の発光面を６つに分割することにより、発光単位として６個のブロックＡ〜Ｆが規定されているケースについて説明する。この場合、図３に示した最上のブロックＡは、走査線群Ｙ1〜Ｙ100によって規定される表示領域に位置的に対応し、ブロックＢは、走査線群Ｙ101〜Ｙ200によって規定される表示領域に位置的に対応する。同様に、ブロックＣ，Ｄ，Ｅ，Ｆは、走査線群Ｙ201〜Ｙ300，Ｙ301〜Ｙ400，Ｙ401〜Ｙ500，Ｙ501〜Ｙ600，によって規定される表示領域にそれぞれ位置的に対応する。
【００１８】
図４は、バックライト駆動回路７の回路図である。バックライト駆動回路７は、６個の回路ユニット７ａ〜７ｆで構成されており、これらは対応するブロックＡ〜Ｆに対して制御信号ＢＬa〜ＢＬfを出力する。これらの回路ユニット７ａ〜７ｆは、カウンタ７０、パルス発生回路７１およびスイッチ７２を有し、カウンタ７０の制御が異なる点を除けば、基本的に同様の構成になっている。カウンタ７０は、走査線駆動回路３と共通して供給されるクロック信号ＣＬＹのレベル遷移をカウントするダウンカウンタである。パルス発生回路７１は、その前段のカウンタ７０からの指示に応じて、所定の時間幅を有するＨレベルのパルスを出力する。スイッチ７２は、その前段のパルス発生回路７１からのパルスに応じて、対応する後段のブロックに供給すべき制御信号ＢＬを第１のレベルＬ1または第２のレベルＬ2に択一的に設定する。ここで、「第１のレベル」とは、バックライト６の発光面を構成するブロックＡ〜Ｆを高輝度で明るく発光させる信号レベルをいい、「第２のレベル」とは、これらのブロックＡ〜Ｆを低輝度（ただし、黒は除く）で暗く発光させる信号レベルをいう。バックライト６の光源がＥＬ素子といった電流駆動型素子の場合、制御信号ＢＬのレベルＬ1，Ｌ2は電流レベルで設定されるのに対して、蛍光管等の場合には、電圧レベルで制御信号ＢＬが設定される。それぞれのスイッチ７２から出力された制御信号ＢＬa〜ＢＬfは、バックライト６に供給される。
【００１９】
図５は、バックライト６の駆動タイミングチャートである。以下、本実施形態にかかる駆動制御について、回路ユニット７ａ〜７ｆの順序で詳述する。まず、ブロックＡを制御対象とする回路ユニット７ａは、スタート信号ＤＹによって規定される１フレームの開始タイミングｔ0から所定の期間Ｔ1が経過した時点で、所定の期間Ｔ2だけ、制御信号ＢＬaを第１のレベルＬ1に設定する。具体的には、この回路ユニット７ａのカウンタ７０は、スタート信号ＤＹによって現在のカウント値ＣＴがクリアされ、期間Ｔ1相当のカウント値ＣＴ1にリセットされる。この期間Ｔ1は、１００本分の走査線Ｙの選択に要する期間αに、液晶の応答時間β（データの書込から透過率が飽和状態になるまでの期間）を加算した期間（α＋β）である。タイミングｔ0以降、カウンタ７０は、クロック信号ＣＬＹのレベル遷移毎に、現在のカウント値ＣＴから１を順次デクリメントし、ＣＴ＝０に到達するまでは低電位レベルを出力し続ける。そして、期間Ｔ1の経過時点、すなわち、上から１００番目の走査線Ｙ100の選択終了時から更に応答時間βが経過したタイミングｔ1aにおいて、カウント値ＣＴが０に到達し、カウンタ７０の出力が低電位レベル（Ｌレベル）から高電位レベル（Ｈレベル）に立ち上がる。後段のパルス発生回路７１は、この立ち上がりに基づいて、期間Ｔ2の時間幅で、Ｈレベルのパルスを出力する。スイッチ７２は、パルスが出力される期間Ｔ2では第１のレベルＬ1、それ以外の期間では第２のレベルＬ2をそれぞれ選択し、これらが制御信号ＢＬaとしてブロックＡに出力される。その結果、ブロックＡは、期間Ｔ2（＝ｔ1a〜ｔ2a）で明るく発光し、それ以外の期間では暗く発光する。
【００２０】
つぎに、ブロックＢを制御対象とする回路ユニット７ｂは、制御信号ＢＬaの立ち上がりタイミングｔ1aから所定の期間Ｔ1’が経過した時点で、所定の期間Ｔ2だけ、制御信号ＢＬbを第１のレベルＬ1に設定する。具体的には、この回路ユニット７ｂのカウンタ７０は、制御信号ＢＬaの立ち上がりによって現在のカウント値ＣＴがクリアされ、期間Ｔ1’相当のカウント値ＣＴ1’にリセットされる。この期間Ｔ1’は、１００本分の走査線Ｙの選択に要する期間αである。タイミングｔ1a以降、カウンタ７０は、クロック信号ＣＬＹのレベル遷移毎に、現在のカウント値ＣＴから１を順次デクリメントし、ＣＴ＝０に到達するまではＬレベルを出力し続ける。そして、タイミングｔ1aから期間Ｔ1’が経過したタイミングｔ1bにおいて、カウント値ＣＴが０に到達し、カウンタ７０の出力がＬレベルからＨレベルに立ち上がる。後段のパルス発生回路７１は、この立ち上がりに基づいて、期間Ｔ2の時間幅で、Ｈレベルのパルスを出力する。スイッチ７２は、パルスが出力される期間Ｔ2では第１のレベルＬ1、それ以外の期間では第２のレベルＬ2をそれぞれ選択し、これらが制御信号ＢＬbとしてブロックＢに出力される。その結果、ブロックＢは、ブロックＡよりも期間αだけ遅れて、時間幅Ｔ2（＝ｔ1b〜ｔ2b）で明るく発光し、それ以外は暗く発光する。
【００２１】
ブロックＣ以降についても、ブロックＢと同様のプロセスで、発光制御が行われる。すなわち、ブロックＣを制御対象とする回路ユニット７ｃは、制御信号ＢＬbの立ち上がりタイミングｔ1bから所定の期間Ｔ1’が経過した時点で、所定の期間Ｔ2だけ、制御信号ＢＬcを第１のレベルＬ1に設定する。これにより、ブロックＣは、ブロックＢよりも期間αだけ遅れて、時間幅Ｔ2（＝ｔ1c〜ｔ2c）で明るく発光し、それ以外は暗く発光する。ブロックＤを制御対象とする回路ユニット７ｄは、制御信号ＢＬcの立ち上がりタイミングｔ1cから所定の期間Ｔ1’が経過した時点で、所定の期間Ｔ2だけ、制御信号ＢＬdを第１のレベルＬ1に設定する。これにより、ブロックＤは、ブロックＣよりも期間αだけ遅れて、時間幅Ｔ2（＝ｔ1d〜ｔ2d）で明るく発光し、それ以外は暗く発光する。また、ブロックＥを制御対象とする回路ユニット７ｅは、制御信号ＢＬdの立ち上がりタイミングｔ1dから所定の期間Ｔ1’が経過した時点で、所定の期間Ｔ2だけ、制御信号ＢＬeを第１のレベルＬ1に設定する。これにより、ブロックＥは、ブロックＤよりも期間αだけ遅れて、時間幅Ｔ2（＝ｔ1e〜ｔ2e）で明るく発光し、それ以外は暗く発光する。さらに、ブロックＦを制御対象とする回路ユニット７ｆは、制御信号ＢＬeの立ち上がりタイミングｔ1eから所定の期間Ｔ1’が経過した時点で、所定の期間Ｔ2だけ、制御信号ＢＬfを第１のレベルＬ1に設定する。これにより、ブロックＦは、ブロックＥよりも期間αだけ遅れて、時間幅Ｔ2（＝ｔ1f〜ｔ2f）で明るく発光し、それ以外は暗く発光する。
【００２２】
図６は、バックライト６の順次シフトの説明図である。同図において、ハッチングで示した領域は、明るく発光しているブロックであり、それ以外の領域は、暗く発光しているブロックである。まず、走査線グループＹ1〜Ｙ100の選択時には、隣接した２つのブロックＢ，Ｃに相当する帯状領域が明るく発光し、それ以外の領域は暗く発光する（同図（ａ））。つぎに、走査線グループＹ101〜Ｙ200の選択時には、ブロックＣをオーバラップさせるべく、１ブロックだけ下方へシフトさせる。これにより、隣接したブロックＣ，Ｄに相当する帯状領域が明るく発光し、それ以外の領域は暗く発光する（同図（ｂ））。ここで、帯状領域をシフトさせる際にブロックのオーバラップを行う理由は、帯状領域のシフトを連続的にするためである。続く走査線グループＹ201〜Ｙ300の選択時には、ブロックＤをオーバラップさせるべく、１ブロック分だけ下方にシフトさせる。これにより、ブロックＤ，Ｅに相当する帯状領域が明るく発光する（同図（ｃ））。続く走査線グループＹ301〜Ｙ400の選択時には、ブロックＥをオーバラップさせるべく、１ブロック分だけ下方にシフトさせる。これにより、ブロックＥ，Ｆに相当する帯状領域が明るく発光する（同図（ｄ））。そして、走査線グループＹ401〜Ｙ500の選択時には、ブロックＦをオーバラップさせるべく、１ブロック分だけ下方にシフトさせる。これにより、ブロックＦ，Ａに相当する帯状領域が明るく発光する（同図（ｅ））。最後に、走査線グループＹ501〜Ｙ600の選択時には、ブロックＡをオーバラップさせるべく、１ブロック分だけ下方にシフトさせる。これにより、ブロックＡ，Ｂに相当する帯状領域が明るく発光する（同図（ｆ））。
【００２３】
このように、本実施形態によれば、バックライト６の発光面のうち、帯状領域を明るく発光させるとともに、それ以外の領域を暗く発光させる。そして、走査線Ｙの順次選択と同期して、発光面上の帯状領域を走査線Ｙの選択方向に順次シフトさせる。これにより、従来の技術と比較して、明るく発光させる領域（白領域）と、暗く発光させる領域（グレー領域）との間の輝度差が小さくなるので、表示のちらつきを有効に抑制できる。その結果、フリッカを抑制しつつ、表示ボケの解消を図ることが可能となる。また、帯状領域をオーバラップさせながら順次シフトさせた場合には、帯状領域のシフトが連続的になるので、フリッカを一層有効に抑制することができる。
【００２４】
なお、上述した実施形態では、バックライト６を６つに分割する例について説明したが、分割数はこれに限定されるものではなく、２以上であればよい。また、１つの光源を１つのブロックに対応付けた例について説明したが、複数の光源を１つのブロックに対応付けてもよい。例えば、ｋ（ｋは自然数）本の走査線単位で光源が設けられている構成において、同様の発光状態に設定されるｍ（ｍは自然数）個の光源で１つのブロックを規定するといった如くである。また、上述した実施形態で説明したバックライト駆動回路７の具体的な回路構成は一具体例であり、他の回路構成でも構わない。例えば、回路ユニット７ａ〜７ｆ内のカウンタ７０を総て廃し、その代わりにスタート信号ＤＹによって現在のカウント値ＣＴが１にセットされ、クロック信号ＣＬＹ毎に＋１づつインクリメントされる、選択列指示カウンタを別に１個設け、回路ユニット７ａ〜７ｆ内のパルス発生回路７１が、この選択列指示カウンタの出力する値をデコードして、所定の期間だけＨレベルのパルスを出力する回路構成としてもよい。なお、これらの点は、以下の実施形態についても同様である。
【００２５】
（第２の実施形態）
図７は、第２の実施形態にかかる電気光学装置のブロック構成図である。本実施形態の特徴は、動画表示の場合のみ、上述したバックライト６の発光制御によるブリンキングを行い、静止画表示の場合には、バックライト６を一定の輝度で全面発光させる点である。なお、それ以外の点は、基本的に第１の実施形態と同様であるから、ここでの説明を省略する。
【００２６】
本実施形態において、制御回路５は、表示部１に表示すべき表示対象が動画であるか否かを判別するとともに、この判別結果に応じた制御信号Ｇをバックライト駆動回路７に出力する。表示対象の判別は、例えば、前後のフレーム間における画像の変化を検出することによって行うことができる。また、例えば、パーソナルコンピュータ内のＴＶチューナの起動、動画の収録されたＣＤＲＯＭの起動、動画再生ソフトが起動などによって、表示対象を判別してもよい。制御回路５は、表示対象が静止画の場合にはＨレベルの制御信号Ｇを出力し、それが動画の場合にはＬレベルの制御信号Ｇを出力する。
【００２７】
図８は、本実施形態にかかるバックライト駆動回路７のブロック構成図である。このバックライト駆動回路７の特徴は、パルス発生回路７１とスイッチ７２との間に、２入力ＯＲゲート７４を追加した点である。ある回路ユニットに関して、そのＯＲゲート７４には、前段のパルス発生回路７１からの信号と、制御回路５からの制御信号Ｇとが入力される。表示対象が静止画の場合（制御信号Ｇ＝Ｈレベル）、ＯＲゲート７４は、パルス発生回路７１の出力レベルに拘わらず、Ｈレベルを出力する。これにより、バックライト６の全面は一定の輝度で明るく発光する。一方、表示対象が動画の場合（制御信号Ｇ＝Ｌレベル）、パルス発生回路７１の出力と同一のレベルが、ＯＲゲート７４から出力される。これにより、上述した第１の実施形態と同様に、バックライト６の発光制御によるブリンキングが行われる。
【００２８】
このように、本実施形態によれば、第１の実施形態と同様の効果を有する。また、表示部１における明るさのダイナミックレンジを広げ、動画等の表示ボケを一層効果的に抑制できる。さらに、静止画の表示時にはバックライト６の発光制御によるブリンキングを行わないので、消費電力の低減を図ることができる。
【００２９】
なお、本実施形態において、バックライト駆動回路７は、表示部１に表示すべき表示対象に応じて、明るく発光する帯状領域の幅を変えてもよいし、帯状領域とそれ以外の領域との間の輝度差を変えてもよい。例えば、動画の動きが比較的少ない場合には、帯状領域の幅を通常時よりも広げたり、輝度差を通常時よりも小さくするといった如くである。また、例えば、明るい表示画像に関しては大きな光量を確保するといった如く、表示すべき画像に関する本来の明るさの程度に応じて、上記幅や上記輝度差を調整してもよい。
【００３０】
また、上述した各実施形態にかかる電気光学装置は、例えば、テレビ、プロジェクタ、携帯電話機、携帯端末、モバイル型コンピュータ、パーソナルコンピュータ等を含む様々な電子機器に実装可能である。これらの電子機器に上述した電気光学装置を実装すれば、電子機器の商品価値を一層高めることができ、市場における電子機器の商品訴求力の向上を図ることができる。
【図面の簡単な説明】
【００３１】
【図１】第１の実施形態にかかる電気光学装置のブロック構成図
【図２】画素の等価回路図
【図３】バックライトの概略的な構成図
【図４】バックライト駆動回路の回路図
【図５】バックライトの駆動タイミングチャート
【図６】バックライトの順次シフトの説明図
【図７】第２の実施形態にかかる電気光学装置のブロック構成図
【図８】第２の実施形態にかかるバックライト駆動回路の回路図
【符号の説明】
【００３２】
１  表示部
２  画素
３  走査線駆動回路
４  データ線駆動回路
５  制御回路
６  バックライト
７  バックライト駆動回路
７ａ〜７ｆ  回路ユニット
２１  ＴＦＴ
２２  液晶容量
２２ａ  画素電極
２２ｂ  対向電極
２３  蓄積容量
７０  カウンタ
７１  パルス発生回路
７２  スイッチ
７４  ＯＲゲート
【図１】
2005070228.tif 000003
【図２】
2005070228.tif 000004
【図３】
2005070228.tif 000005
【図４】
2005070228.tif 000006
【図５】
2005070228.tif 000007
【図６】
2005070228.tif 000008
【図７】
2005070228.tif 000009
【図８】
2005070228.tif 000010